(57)【要約】      （修正有）【課題】ずれ落ちることなくスタンドに留め置くことができ、スタンドから取り外した状態でも化粧品棚の囲い枠などに留め置くことができるヘアドライヤー装置を提供する。【解決手段】握り部５を有するヘアドライヤー３と、ヘアドライヤー３の握り部５の背面に取り付けられる幅広フック１と、台座部６ａと、台座部６ａから立設する２本のロッド１３からなる脚部６ｂと、ロッド１３間を連結する複数の横部材１２と、からなるスタンド６と、ロッド１３の上端にあって、ヘアドライヤー３の左右方向へのスライドと落下を防止するストッパ１４と、が備えられ、幅広フック１が、脚部６ｂの横部材１２に留め置かれる。【選択図】図１
0003208205.tif 000002
【実用新案登録請求の範囲】
【請求項１】
握り部を有するヘアドライヤーと、
前記ヘアドライヤーの握り部の背面に取り付けられる幅広フックと、
台座部と、台座部から立設する２本のロッドからなる脚部と、前記ロッド間を連結する複数の横部材と、からなるスタンドと、
前記ロッドの上端にあって、前記ヘアドライヤーの左右方向へのスライドと落下を防止するストッパと、が備えられ、
前記幅広フックが、前記脚部の前記横部材に留め置かれることを特徴とするヘアドライヤー装置。
【請求項２】
前記ロッドは、上部が後方に反り返っていることを特徴とする請求項１に記載のヘアドライヤー装置。
【請求項３】
前記台座部は、ロッドが折り曲げられて接地面が形成されていることを特徴とする請求項１に記載のヘアドライヤー装置。
【請求項４】
前記台座部は、前後方向に挟み込むクリップ体からなることを特徴とする請求項１に記載のヘアドライヤー装置。
【考案の詳細な説明】
【技術分野】
【０００１】
本考案は、ヘアドライヤー装置に係り、より詳しくは、髪を乾かす際、両手を自由に使えるヘアドライヤー装置に関する。
【背景技術】
【０００２】
特許文献１にはヘアドライヤースタンドが開示されている。ヘアドライヤーをスタンドに置き、送風状態にしておくことで、両手を自由に使用できる。スタンドは、化粧台の上などに置かれるが、下向きにした場合は、ずれ落ちる可能性がある。また、もう少し高い位置からヘアドライヤーを使用したい場合は、手で持つしかない。例えば化粧台の化粧品棚の囲い枠などに取り付けて使用できることが望まれる。
【先行技術文献】
【特許文献】
【０００３】
【特許文献１】実開平６−５８８０４号公報
【考案の概要】
【考案が解決しようとする課題】
【０００４】
本考案の目的は、ずれ落ちることなくスタンドに留め置くことができ、取り外した状態では、例えば化粧品棚の囲い枠などに留め置いて、両手を自由に使用できるヘアドライヤー装置を提供することにある。
【課題を解決するための手段】
【０００５】
本考案によるヘアドライヤー装置は、握り部を有するヘアドライヤーと、前記ヘアドライヤーの握り部の背面に取り付けられる幅広フックと、台座部と、台座部から立設する２本のロッドからなる脚部と、前記ロッド間を連結する複数の横部材と、からなるスタンドと、前記ロッドの上端にあって、前記ヘアドライヤーの落下を防止するストッパと、が備えられ、前記幅広フックが、前記脚部の前記横部材に留め置かれることを特徴とする。
【０００６】
前記ロッドは、上部が後方に反り返っていることを特徴とする。
【０００７】
前記台座部は、ロッドが折り曲げられて接地面が形成されていることを特徴とする。
【０００８】
前記台座部は、前後方向に挟み込むクリップ体からなることを特徴とする。
【考案の効果】
【０００９】
本考案のヘアドライヤー装置によれば、ヘアドライヤーの握り部の背面に幅広フックを取り付けたので、スタンドの横部材に良好に留め置くことができる。ずれ落ちたりしない。スタンドの脚部を形成するロッドの上端にストッパを設けたので、ヘアドライヤーがスライドして落下することがない。ヘアドライヤーをスタンドに留め置くことで、両手を自由（ハンズフリー）に使用できる。ヘアドライヤーをスタンドから外した場合でも、幅広フックにより化粧品棚の囲い枠などにヘアドライヤーを留め置くことができる。スタンドがなくても、両手を自由（ハンズフリー）に使用できる。
【００１０】
ロッドは、上部が後方に反り返っているので、ヘアドライヤーをスタンドに留め置いた場合、ヘアドライヤーの握り部が下方の横部材に当接するので、ヘアドライヤーの送風口をやや上向きにして留め置くことができる。
【００１１】
台座部は、ロッドで接地面を形成したので、スタンドを軽くて持ち運びの良いものとできる。化粧台の上面にスタンドを設置するような場合に有効である。
【００１２】
台座部が、前後方向に挟み込むクリップ体からなるので、化粧品棚の囲い枠などに取り付けることができる。洗面台の高さより、さらに高い位置にヘアドライヤーを留め置くことができる。ヘアドライヤーの幅広フックを利用して化粧品棚の囲い枠に留め置いた場合より、さらに高い位置にヘアドライヤーを設置できる。
【図面の簡単な説明】
【００１３】
【図１】本考案によるヘアドライヤー装置の斜視図である。
【図２】ヘアドライヤーが、化粧台に載置されたスタンドに留め置かれた状態を示す説明図である。
【図３】図１に示す幅広フックの斜視図である。
【図４】ヘアドライヤーが、化粧品棚の囲い枠に留め置かれた状態を示す説明図である。
【図５】スタンドが、クリップ体により化粧品棚の囲い枠に取り付けられ、ヘアドライヤーが留め置かれた状態を示す説明図である。
【考案を実施するための形態】
【００１４】
以下、図面を参照して、本考案によるヘアドライヤー装置を詳細に説明する。
【実施例】
【００１５】
図１は、本考案によるヘアドライヤー装置１００の斜視図である。ヘアドライヤー装置１００は、ヘアドライヤー３とスタンド６からなる。ヘアドライヤー３には、幅広フック１が握り部５の背面にバンド２で取り付けられる。一方、スタンド６は、台座部６ａと、台座部６ａから立設する２本のロッド１３からなる脚部６ｂと、ロッド１３間を連結する複数の横部材１２からなる。スタンド６は、梯子のような形状である。ヘアドライヤー３の幅広フック１が、スタンド６の横部材１２に留め置かれる。ロッド１３の上端には、ヘアドライヤー３がスライドして落下しないように防止するストッパ１４が設けられる。なお、台座部６ａは、ロッド１３が折り曲げられて接地面が形成されている。これによれば、スタンドを化粧台の上面に設置するような場合に有効である。スタンドを化粧台に安定して載置できる。
【００１６】
図２は、ヘアドライヤー３が、化粧台に載置されたスタンド６に留め置かれた状態を示す説明図である。ロッド１３は、上部が後方に反り返っており、ヘアドライヤー３をスタンド６に留め置いた場合、ヘアドライヤー３の握り部５が下方の横部材１２に当接する。これにより、ヘアドライヤー３の送風口１５をやや上向きにして留め置くことができる。
【００１７】
図３は、図１に示す幅広フック１の斜視図である。幅広フック１は左右方向に幅があるので、ヘアドライヤー３をスタンド６に留め置く場合、幅広フック１がスタンド６の横部材１２に安定して係合できる。幅広フック１には、ヘアドライヤー３の握り部５に巻き付ける第１バンド２ａと、ヘアドライヤー３の胴体部４に巻き付ける第２バンド２ｂを設けた。バンド２（２ａ、２ｂ）は、例としてメンファスナーを使用することができる。そのため、第１バンド２ａ、第２バンド２ｂの一端は、開放され、他端は幅広フック１に固定されている。なお、ヘアドライヤー３によっては、胴体部４にバンド２ｂが巻き付けられできない形状もあるので、その場合は第１バンド２ａのみでも良い。幅広フック１は、かぎ状のフックを所定の幅を持って２個並べて構成してもよい。
【００１８】
図４は、ヘアドライヤー３が、化粧品棚の囲い枠１０に留め置かれた状態を示す説明図である。ヘアドライヤー３には、幅広フック１が設けられるので、ヘアドライヤー３をスタンド６から外した場合でも、幅広フック１により化粧品棚の囲い枠１０などにヘアドライヤー３を留め置くことができる。
【００１９】
図５は、スタンド６が、クリップ体により化粧品棚の囲い枠１０に取り付けられ、ヘアドライヤー３が留め置かれた状態を示す説明図である。スタンド６の台座部６ａは、図１に示すような大きな接地面を有するものとは限らない。台座部６ａと脚部６ｂの間にパイプによる結合部８を設け、両者を分離可能とした。その上で、図５に示すようなクリップ体７を台座部にした。図５の引き出し円の中に示すように、クリップ体７は、挟み込み枠体７ａで、化粧品棚の囲い枠１０などを挟み込む。ノブ７ｂを回転して、押圧パッド７ｃを押し込んで固定する。洗面台にスタンド６を置いた場合より、高い位置にヘアドライヤー３を留め置くことができる。
【００２０】
ヘアドライヤー３の傾きは、図２に示すように、脚部６ｂの傾斜角度に決まる。図２の上から３段目の横部材１２に厚みあるリングをスライド可能に嵌め込んでおく。これを横部材１２の中央付近に移動すれば、ヘアドライヤー３の傾きを少し上向きにできる。この他にもスタンド６のロッド１３を蛇腹パイプにすれば、曲げた状態を維持できるので、ヘアドライヤーをスタンドに留め置いた時の角度調整が自在にできる。
【産業上の利用可能性】
【００２１】
本考案によるヘアドライヤー装置は、使い勝手がよく、両手が自由に使えるハンズフリーのヘアドライヤー装置として好適である。
【符号の説明】
【００２２】
１    幅広フック
２    バンド
２ａ    第１バンド
２ｂ    第２バンド
３    ヘアドライヤー
４    胴体部
５    握り部
６    スタンド
６ａ    台座部
６ｂ    脚部
７    クリップ体
７ａ    挟み込み枠体
７ｂ    ノブ
７ｃ    押圧パッド
８    結合部
９    洗面台
１０    化粧品棚の囲い枠
１１    鏡
１２    横部材
１３    ロッド
１４    ストッパ
１５    送風口
１００    ヘアドライヤー装置
【図１】
0003208205.tif 000003
【図２】
0003208205.tif 000004
【図３】
0003208205.tif 000005
【図４】
0003208205.tif 000006
【図５】
0003208205.tif 000007